(57)【要約】  電子商品監視アセンブリは、起立したハウジングを備えて成っており、該ハウジングが、閉鎖された天井と床とを有しており、該床が、連続的な床周辺部分を有しており、該連続的な床周辺部分が中央床開口を画成しており、前記ハウジングが、前記中央床開口と連通している内部キャビティを有しており、ＥＡＳマーカが前記ハウジング内部キャビティ内に配置されており、前記ハウジングが側壁を画定しており、該側壁が前記天井から前記連続的な床周辺部分まで延在していて、テーパ付けされており、これにより、前記ハウジングが、Ｖ形状を成す断面を有する周辺部を備えるように形成されている。さらに、電子商品監視アセンブリであって、起立したハウジングを備えて成っており、該ハウジングが、閉鎖された天井と床とを有しており、該床が、連続的な床周辺部分を有しており、該連続的な床周辺部分が、中央床開口を画成しており、前記ハウジングが、前記中央床開口と連通している内部キャビティを有しており、ＥＡＳマーカが、前記ハウジング内部キャビティ内に配置されており、前記ハウジングが側壁を画定しており、該側壁が前記天井から前記連続的な床周辺部分まで延在していて、テーパ付けされており、これにより、前記ハウジングが、Ｖ形状を成す断面を有する周辺部を備えるように形成されている電子商品監視アセンブリと、製品であって、前記連続的な床周辺部分が、当該製品の外表面に固定されている製品と、が組み合わされて提供される。
2007512634.tif 000002
【特許請求の範囲】
【請求項１】
電子商品監視アセンブリであって、起立したハウジングを備えて成っており、該ハウジングが、閉鎖された天井と床とを有しており、該床が、連続的な床周辺部分を有しており、該連続的な床周辺部分が中央床開口を画成しており、前記ハウジングが、前記中央床開口と連通している内部キャビティを有しており、ＥＡＳマーカが前記ハウジング内部キャビティ内に配置されており、前記ハウジングが側壁を画定しており、該側壁が前記天井から前記連続的な床周辺部分まで延在していて、テーパ付けされており、これにより、前記ハウジングが、Ｖ形状を成す断面を有する周辺部を備えるように形成されていることを特徴とする電子商品監視アセンブリ。
【請求項２】
さらに、前記連続的な床周辺部分の内表面に固定された底部閉鎖部材を有している、請求項１記載の電子商品監視アセンブリ。
【請求項３】
さらに、前記底部閉鎖部材と前記連続的な床周辺部分とに配置された接着層を有している、請求項２記載の電子商品監視アセンブリ。
【請求項４】
前記連続的な床周辺部分が弓状の構成を備えている、請求項１記載の電子商品監視アセンブリ。
【請求項５】
前記天井が、前記連続的な床周辺部分と共通した弓状の構成を備えている、請求項４記載の電子商品監視アセンブリ。
【請求項６】
さらに、前記連続的な床周辺部分の内表面に固定された底部閉鎖部材を有しており、該底部閉鎖部材が、前記連続的な床周辺部分と共通した弓状の構成を備えている、請求項５記載の電子商品監視アセンブリ。
【請求項７】
さらに、前記底部閉鎖部材と前記連続的な床周辺部分とに配置された接着層を有しており、該接着層が、前記連続的な床周辺部分と共通した弓状の構成を備えている、請求項６記載の電子商品監視アセンブリ。
【請求項８】
（ａ）電子商品監視アセンブリであって、起立したハウジングを備えて成っており、該ハウジングが、閉鎖された天井と床とを有しており、該床が、連続的な床周辺部分を有しており、該連続的な床周辺部分が中央床開口を画成しており、前記ハウジングが、前記中央床開口と連通している内部キャビティを有しており、ＥＡＳマーカが前記ハウジング内部キャビティ内に配置されており、前記ハウジングが側壁を画定しており、該側壁が前記天井から前記連続的な床周辺部分まで延在していて、テーパ付けされており、これにより、前記ハウジングが、Ｖ形状を成す断面を有する周辺部を備えるように形成されている電子商品監視アセンブリと、
（ｂ）製品であって、前記連続的な床周辺部分が、当該製品の外表面に固定されている製品と、が組み合わされている発明。
【請求項９】
さらに、前記連続的な床周辺部分の内表面に固定された底部閉鎖部材を有している、請求項８記載の発明。
【請求項１０】
さらに、前記底部閉鎖部材と前記連続的な床周辺部分とに配置された接着層を有している、請求項９記載の発明。
【請求項１１】
前記製品の前記外表面と、前記連続的な床周辺部分とが、共通した弓状の構成を備えている、請求項８記載の発明。
【請求項１２】
前記天井が、前記連続的な床周辺部分及び前記製品の前記外表面と共通した弓状の構成を備えている、請求項１１記載の発明。
【請求項１３】
さらに、前記連続的な床周辺部分の内表面に固定された底部閉鎖部材を有しており、該底部閉鎖部材が、前記連続的な床周辺部分及び前記製品の前記外表面と共通した弓状の構成を備えている、請求項１２記載の発明。
【請求項１４】
さらに、前記底部閉鎖部材と前記連続的な床周辺部分とに配置された接着層を有しており、該接着層が、前記連続的な床周辺部分及び前記製品の外表面と共通した弓状の構成を備えている、請求項１３記載の発明。
【発明の詳細な説明】
【技術分野】
【０００１】
本発明は、一般的に、製品（articles of manufacture）を万引きから守る装置に関し、さらに具体的には、製品と共に使用するための電子商品監視マーカアセンブリに関する。
【背景技術】
【０００２】
広く使用されている電子商品監視（ＥＡＳ：electric article surveillance）マーカの１つの形状は、商品の平坦な又は湾曲した外表面に接着材により適用される平坦な、薄い、可撓性の、方形の部材の形状である。そのような外表面への適用の欠点は、バーコードラベルによって覆われていることが多いにも拘わらず、ＥＡＳマーカの存在が明白であることにある。なぜならば、該マーカはバーコードラベルの側面から視認し得るからである。さらになお、該ＥＡＳマーカは消費者にとって接近可能なものである。
【０００３】
ＥＡＳマーカは平坦な強磁性ストリップ部材であり、例えばマーカが非有効化されておらず（例えば商品支払いレジカウンター）、かつ施設出口におけるＥＡＳマーカ検出ゲートを通って運ばれる場所では、当該ＥＡＳマーカは周知の様々なＥＡＳシステムによって検出可能である。
【発明の開示】
【発明が解決しようとする課題】
【０００４】
本発明の主たる目的は、ＥＡＳによって保護されるべき対象物からの取外しに対して高い抵抗を有するＥＡＳマーカアセンブリを提供することである。
【課題を解決するための手段】
【０００５】
前記及び他の目的の達成に際して、本発明は、電子商品監視アセンブリであって、起立したハウジングを備えて成っており、該ハウジングが、閉鎖された天井と床とを有しており、該床が、連続的な周辺部分を有しており、該連続的な周辺部分が中央床開口を画成しており、前記ハウジングが、前記中央床開口と連通している内部キャビティを有しており、ＥＡＳマーカが、前記ハウジング内部キャビティ内に配置されており、前記ハウジングが側壁を画定しており、該側壁が前記天井から前記連続的な周辺床部分まで延在していて、テーパ付けされており、これにより、前記ハウジングが、Ｖ形状を成す断面を有する周辺部を備えるように形成されている電子商品監視アセンブリを提供するものである。
【０００６】
本発明は、さらに、電子商品監視アセンブリであって、起立したハウジングを備えて成っており、該ハウジングが、閉鎖された天井と床とを有しており、該床が、連続的な周辺部分を有しており、該連続的な周辺部分が、中央床開口を画成しており、前記ハウジングが、前記中央床開口と連通している内部キャビティを有しており、ＥＡＳマーカが、前記ハウジング内部キャビティ内に配置されており、前記ハウジングが側壁を画定しており、該側壁が前記天井から前記連続的な周辺床部分まで延在していて、テーパ付けされており、これにより、前記ハウジングが、Ｖ形状を成す断面を有する周辺部を備えるように形成されている電子商品監視アセンブリと、製品であって、前記連続的な床周辺部分が、当該製品の外表面に固定されている製品と、を組み合わせて提供するものである。
【０００７】
本発明は、さらに、以下の本発明の好ましい実施形態の説明を斟酌することから、かつ図面から理解されるであろう。全図面を通して、同じ参照符号は同一の部材に関するものである。
【発明を実施するための最良の形態】
【０００８】
図１〜図４を参照すれば、電子商品監視アセンブリ１０は、起立したハウジング１２を備えて成っており、該ハウジングは、閉鎖された天井１４と床１６とを有しており、該床は、中央床開口１８を画成している連続的な周辺部分１６ａを有している。
【０００９】
ハウジング１２は、中央床開口１８と連通している内部キャビティ２０を有している。ＥＡＳマーカ２２がハウジング内部キャビティ２０内に配置されている。
【００１０】
ハウジング１２は側壁２４を画定しており、該側壁は天井１４から連続的な周辺床部分１６ａまで延在していて、テーパ付けされている。これにより、特に図３及び図４から理解されるように、Ｖ形状を成す断面を有する周辺部を備えたハウジングが形成される。
【００１１】
底部閉鎖部材２６が、例えば接着材又はヒートシールによって、前記床の連続的な周辺部分の内表面に固定されている。接着層（図示せず）が底部閉鎖部材２６及び床の連続的な周辺部分１６ａに配置されている。
【００１２】
図６〜図９に目を向ければ、電子商品監視アセンブリ２８は、起立したハウジング３０を備えて成っており、該ハウジング３０は、弓状の構成を備えた閉鎖された天井３２と床３４とを備えており、該床は、連続的な周辺部分３４ａを有しており、該連続的な周辺部分は中央床開口３６を画成していて、天井３２と共通した弓状の構成を備えている。
【００１３】
ハウジング３０は、中央床開口３６と連通している内部キャビティ３８を有している。ＥＡＳマーカ４２がハウジング内部キャビティ３８内に配置されている。
【００１４】
ハウジング３０は側壁４４を画定しており、該側壁は天井３２から連続的な周辺床部分３４ａまで延在していて、テーパ付けされている。これにより、特に図８から理解されるように、Ｖ形状を成す断面を有する周辺部を備えたハウジングが形成される。
【００１５】
弓状の下表面４７を有する底部閉鎖部材４６が、例えば接着材又はヒートシールによって、前記床の連続的な周辺部分３４ａの内表面に固定されている。接着層（図示せず）が底部閉鎖部材４６及び床の連続的な周辺部分３４ａに配置されている。
【００１６】
図１０に目を向ければ、ここには製品４８と共に図６のＥＡＳアセンブリ２８の拡大部分断面図が示されている。前記製品は、弓状の外表面５０を有するワインボトル又はこれに類するボディであってよい。ＥＡＳアセンブリ２８は、ＥＡＳマーカ４２が含まれたハウジング３０を有しており、該ハウジングの開放した床は、閉鎖部材４６によって閉鎖されている。接着材５２が閉鎖部材４６の下面と床の連続的な周辺部分３４ａとに配置されていて、アセンブリ２８を表面５０に固定している。
【００１７】
理解されるように、アセンブリ２８の、Ｖ形状を成す連続的な外周部分は、表面５０へのアセンブリの取付け状態から当該アセンブリをてこ作用で外すこと（prying）に対する抵抗の手段を提供するものである。
【００１８】
様々な変更が、本発明から逸脱することなく、開示された好ましい実施形態に導入されてよい。例として、内部構造体２８がＥＡＳマーカ４２と金属性の底部部分４６との間の充分な間隔を有効に提供するので、当該ＥＡＳマーカは金属の影響から絶縁される。したがって、本発明の真の精神及び技術的範囲が特許請求の範囲に示されていることを理解されたい。
【図面の簡単な説明】
【００１９】
【図１】本発明によるＥＡＳアセンブリの上面平面図である。
【図２】図１のＥＡＳアセンブリの底部平面図である。
【図３】図１の平面ＩＩＩ−ＩＩＩで断面して示す、図１のＥＡＳアセンブリの断面図である。
【図４】図１の平面ＩＶ−ＩＶで断面して示す、図１のＥＡＳアセンブリの断面図である。
【図５】図１のＥＡＳアセンブリのための閉鎖部材の上部平面図である。
【図６】本発明によるＥＡＳアセンブリの第２の実施形態の上部平面図である。
【図７】図６のＥＡＳアセンブリの底部平面図である。
【図８】図６の平面ＶＩＩＩ−ＶＩＩＩで断面して示す、図６のＥＡＳアセンブリの断面図である。
【図９】図６のＥＡＳアセンブリのための閉鎖部材の断面図である。
【図１０】製品と共に図６のＥＡＳアセンブリを示す拡大部分断面図である。
【符号の説明】
【００２０】
１０  商品監視アセンブリ
１２  ハウジング
１４  天井
１６  床
１６ａ  周辺床部分
１８  中央床開口
２０  内部キャビティ
２２  ＥＡＳマーカ
２６  底部閉鎖部材
２８  電子商品監視アセンブリ
３０  ハウジング
３２  天井
３４  床
３４ａ  連続的な周辺部分
３６  中央床開口
３８  内部キャビティ
４０  底部部分
４２  ＥＡＳマーカ
４４  側壁
４６  閉鎖部材
４７  下表面
４８  製品
５０  外部弓状表面
５２  接着材
【図１】
2007512634.tif 000003
【図２】
2007512634.tif 000004
【図３】
2007512634.tif 000005
【図４】
2007512634.tif 000006
【図５】
2007512634.tif 000007
【図６】
2007512634.tif 000008
【図７】
2007512634.tif 000009
【図８】
2007512634.tif 000010
【図９】
2007512634.tif 000011
【図１０】
2007512634.tif 000012
【国際調査報告】
2007512634.tif 000013
2007512634.tif 000014